(57)【要約】【課題】遮蔽材の昇降の際の操作力を低減することを可能にするプーリーユニットを提供する。【解決手段】本発明によれば、ループ状のコードと、前記コードが掛装されるプーリーと、前記プーリーに対して前記コードを押し付ける第１及び第２当て部とを備え、第１及び第２当て部は、それぞれ、前記プーリーから引き出される前記コードの第１及び第２コード部分を引いた時に前記コードが前記プーリーから離れる方向に前記コードに力が加わる部分を前記プーリーに押し付けるように設けられ、且つ、第１及び第２当て部は、それぞれ、下記（１）又は（２）の構成を有する、プーリーユニットが提供される。（１）前記プーリーとの同心円弧よりも外側に広がった形状である。（２）前記プーリーとの同心円弧の曲率半径と同じか又はこれよりも曲率半径が小さく、且つ前記コードとの接触角度が３０度以下である。【選択図】図６
2016037837.tif 000002
【特許請求の範囲】
【請求項１】
ループ状のコードと、前記コードが掛装されるプーリーと、前記プーリーに対して前記コードを押し付ける第１及び第２当て部とを備え、
第１及び第２当て部は、それぞれ、前記プーリーから引き出される前記コードの第１及び第２コード部分を引いた時に前記コードが前記プーリーから離れる方向に前記コードに力が加わる部分を前記プーリーに押し付けるように設けられ、且つ、
第１及び第２当て部は、それぞれ、下記（１）又は（２）の構成を有する、プーリーユニット。
（１）前記プーリーとの同心円弧よりも外側に広がった形状である。
（２）前記プーリーとの同心円弧の曲率半径と同じか又はこれよりも曲率半径が小さく、且つ前記コードとの接触角度が３０度以下である。
【請求項２】
請求項１に記載のプーリーユニットを備え、且つ前記コードの操作によって回転された前記プーリーの回転によって昇降軸を回転させて遮蔽材を開閉させる、遮蔽装置。
【発明の詳細な説明】
【技術分野】
【０００１】
この発明は、遮蔽装置に利用可能なプーリーユニット、及びこのプーリーユニットを備える遮蔽装置に関する。遮蔽装置としては、横型ブラインド、たくし上げカーテン、プリーツスクリーン、ロールアップスクリーン、縦型ブラインド、カーテンレール、アコーディオンカーテン、縦型プリーツスクリーン、縦型ロールスクリーン、パネルカーテン等が例示される。
【背景技術】
【０００２】
横型ブラインドなどの遮蔽装置においては、ヘッドボックスから吊り下げられる遮蔽材の下部に設けられたボトムレールに昇降コードの一端が取着され、昇降コードの他端が巻取軸に取着され、巻取軸を回転させることによって、昇降コードの巻取り及び巻戻しを行って、遮蔽材を昇降させる。このような遮蔽装置では、ヘッドボックスに回転可能に支持された操作プーリーに操作コードを掛装し、この操作コードを操作することによって操作プーリーを回転させ、その回転を巻取軸に伝達することによって巻取軸を回転させている（特許文献１）。
【先行技術文献】
【特許文献】
【０００３】
【特許文献１】特許５３７６７１４号
【発明の概要】
【発明が解決しようとする課題】
【０００４】
特許文献１のような構成の横型ブラインドにおいて、操作コードを用いて遮蔽材の昇降を行う際の操作力は小さい方が好ましく、操作力を低減させたいという要望がある。
【０００５】
本発明はこのような事情に鑑みてなされたものであり、遮蔽材の昇降の際の操作力を低減することを可能にするプーリーユニットを提供するものである。
【課題を解決するための手段】
【０００６】
本発明によれば、ループ状のコードと、前記コードが掛装されるプーリーと、前記プーリーに対して前記コードを押し付ける第１及び第２当て部とを備え、第１及び第２当て部は、それぞれ、前記プーリーから引き出される前記コードの第１及び第２コード部分を引いた時に前記コードが前記プーリーから離れる方向に前記コードに力が加わる部分を前記プーリーに押し付けるように設けられ、且つ、第１及び第２当て部は、それぞれ、下記（１）又は（２）の構成を有する、プーリーユニットが提供される。
（１）前記プーリーとの同心円弧よりも外側に広がった形状である。
（２）前記プーリーとの同心円弧の曲率半径と同じか又はこれよりも曲率半径が小さく、且つ前記コードとの接触角度が３０度以下である。
【０００７】
本発明者は遮蔽材昇降時の操作力を低減させるために鋭意検討を行ったところ、特許文献１に開示されているような遮蔽装置では、操作プーリーを収容しているプーリーケースの内周面が操作プーリーと同心円弧状になっており（特許文献１の図４を参照）、操作コードを引き下げ操作した際に、操作コードがプーリーケースの内周面の広い範囲に渡った擦れることによって生じる摩擦力によって操作力が大きくなっていることを突き止めた。この問題を解消するために、プーリーケースの内周面を操作プーリーから遠ざけて操作コードの操作時に操作コードがプーリーケースに接触しないようにしてみたところ、操作コードと操作プーリーの間の摩擦が不十分となり、操作コードが操作プーリーに対して滑ってしまうという新たな問題が生じた。このような状況において、本発明者は、操作コードを操作プーリーに押し付けるための当て部の形状を、従来のように「面」形状とする代わりに、「点」形状とするという構成を思いつき、実験を行ったところ、操作コードが操作プーリーに対して滑るという問題を生じさせることなく、操作力を低減させることができることを確認し、本発明の完成に到った。
【０００８】
また、本発明の別の観点によれば、上記記載のプーリーユニットを備え、且つ前記コードの操作によって回転された前記プーリーの回転によって昇降軸を回転させて遮蔽材を開閉させる、遮蔽装置が提供される。
【図面の簡単な説明】
【０００９】
【図１】本発明の第１実施形態の横型ブラインドを示し、（ａ）〜（ｂ）は正面図である。（ｂ）はヘッドボックス１の前壁を取り除いた状態を示す。
【図２】操作部ユニット６、コードゲート１５及び操作コード７を示す斜視図である。
【図３】図２からコードゲート１５を除いた状態を示す斜視図である。
【図４】図３から操作コード７を除き、ケースキャップ６ｂを外した状態を示す斜視図である。
【図５】図４中の操作プーリー６ａを示す斜視図である。
【図６】図１中のＡ−Ａ断面図であり、（ａ）は操作コード７を外した状態、（ｂ）は操作コード７を取り付けた状態を示す。
【図７】（ａ）〜（ｄ）は、図６中の領域Ａ−Ｄの拡大図である。
【図８】（ａ）〜（ｂ）は、当て部６ｂ２の別例を示す断面図である。
【図９】本発明の第２実施形態での当て部６ｂ２の構成を示す断面図である。
【発明を実施するための形態】
【００１０】
以下、本発明の実施形態について説明する。以下に示す実施形態中で示した各種特徴事項は、互いに組み合わせ可能である。また、各特徴について独立して発明が成立する。
【００１１】
１．第１実施形態
図１に示す遮蔽装置としての横型ブラインドは、ヘッドボックス１から垂下される複数本のラダーコード２を介して遮蔽材としての多数段のスラット３が吊下支持され、同ラダーコード２の下端にボトムレール４が吊下支持される。
【００１２】
ラダーコード２の近傍において、ヘッドボックス１から複数本の昇降コード５が垂下され、中央の昇降コード５は、スラット３の手前側（部屋内側）に垂下され、両端の昇降コード５は、スラット３の奥側（部屋外側）に垂下される。昇降コード５はその上端部がヘッドボックス１内に配設される巻取軸９に巻着され、下端部が前記ボトムレール４に接続されている。
【００１３】
昇降コード５は、巻取軸９の回転に基づいて、巻き取り或いは巻き戻しが行われており、この回転に基づいてボトムレール４及びスラット３が昇降される。また、巻取軸９の回転に基づいて、ラダーコード２を介して各スラット３が同位相で角度調節される。尚、各スラット３は略垂直方向まで回動されると、それ以上回動されないようになっている。巻取軸９は、サポート部材１１に回転可能に支持され、サポート部材１１は、ヘッドボックス１に着脱可能に固定される。
【００１４】
ヘッドボックス１の略右端には操作部ユニット６が設けられ、ループ状の操作コード７の操作に基づいてヘッドボックス１の内部に収容された昇降軸８を回転駆動可能であり、昇降軸８の回転に基づいて巻取軸９が回転される。操作コード７は、コードゲート１５を通じてヘッドボックス１の外に導き出されている。
【００１５】
以下、操作部ユニット６について詳細に説明する。
図２〜図５に示すように、操作部ユニット６は、操作プーリー６ａを備え、操作プーリー６ａには操作コード７が掛装され、コードゲート１５を通じて垂下される。操作プーリー６ａは、ケースキャップ６ｂとギヤケース６ｃの間に回転可能に支持される。操作コード７を操作して操作プーリー６ａを回転させると、その回転がギヤケース６ｃとエンドキャップ６ｄの間に収容された伝達ギヤ及びストッパユニット６ｅを通じて昇降軸８に伝達される。ストッパユニット６ｅは、操作プーリー６ａ側からの回転はそのまま昇降軸８に伝達するが、昇降軸８からの回転は停止させるように構成されている。
【００１６】
図５に示すように、操作プーリー６ａは、本体リング６ａ１から径方向外側に突出する第１及び第２爪部１６，１７を備えており、爪部１６，１７の間の凹部６ａ２に操作コード７が掛装される。爪部１６，１７は、それぞれ、周方向に等間隔に多数設けられている。爪部１６，１７は、それぞれ、基部１６ａ，１７ａから凹部６ａ２に向かって突出する突起１６ｂ，１７ｂを備えており、突起１６ｂ，１７ｂが操作コード７に食い込むことによって、操作コード７が操作プーリー６ａに係合される。
【００１７】
図６に示すように、コードゲート１５は、コードゲート本体３１と、コード分け３２と、ガイド部材３３を備える。操作プーリー６ａの上側出口からの上側コード部分７ｕは、コード分け３２の上側を通り、操作プーリー６ａの下側出口からの下側コード部分７ｂは、コード分け３２とガイド部材３３の間を通る。このように、上側及び下側コード部分７ｕ，７ｂが、コード分け３２によって、上下に分離される。
【００１８】
図４及び図６〜図７に示すように、操作コード７は、操作プーリー６ａの上側では、操作プーリー６ａとケースキャップ６ｂの間には挟まれ、操作プーリー６ａの下側では、操作プーリー６ａとギヤケース６ｃの間には挟まれる。ケースキャップ６ｂは、操作プーリー６ａの外周に対向する面に、操作プーリー６ａとの同心円弧（中心が操作プーリー６ａの回転軸に一致する円弧）状のベース面６ｂ１と、ベース面６ｂ１に設けられた平面状の上側当て部６ｂ２を備える。ギヤケース６ｃは、操作プーリー６ａの外周に対向する面に、前後方向の中央に向かって高くなる一対の傾斜面６ｃ１を有しており、一対の傾斜面６ｃ１が交差する尾根部分（操作プーリー６ａに最も近接した部分）が下側当て部６ｃ２となる。
【００１９】
以下、操作コード７の上側コード部分７ｕ又は下側コード部分７ｂを引き下げたときの作用効果について説明する。
【００２０】
操作コード７の上側コード部分７ｕを引き下げると、操作プーリー６ａの下側の部分では、操作コード７が操作プーリー６ａから離れる方向に操作コード７に力が働くが、下側当て部６ｃ２によって操作コード７が操作プーリー６ａに押し付けられるので、操作プーリー６ａに対する操作コード７の滑りが抑制される。また、下側当て部６ｃ２は、尾根状であるので、同心円弧状の当て部に比べて操作コード７と当て部の間の摩擦が低減されて、操作力が低減される。なお、上側コード部分７ｕ及び下側当て部６ｃ２が、それぞれ、特許請求の範囲の「第１コード部分」及び「第１当て部」に相当する。
【００２１】
操作コード７の下側コード部分７ｂを引き下げると、操作プーリー６ａの上側の部分では、操作コード７が操作プーリー６ａから離れる方向に操作コード７に力が働くが、上側当て部６ｂ２によって操作コード７が操作プーリー６ａに押し付けられるので、操作プーリー６ａに対する操作コード７の滑りが抑制される。また、上側当て部６ｂ２は、平面状であるので、同心円弧状の当て部に比べて操作コード７と当て部の間の摩擦が低減されて、操作力が低減される。なお、下側コード部分７ｂ及び上側当て部６ｂ２が、それぞれ、特許請求の範囲の「第２コード部分」及び「第２当て部」に相当する。
【００２２】
以上のように、本実施形態では、操作プーリー６ａとの同心円弧よりも外側に広がった形状の当て部６ｂ２，６ｃ２によって操作コード７を操作プーリー６ａに押し付けるので、操作プーリー６ａに対する操作コード７の滑りを抑制しつつ、操作力の低減が可能となる。「操作プーリー６ａとの同心円弧よりも外側に広がった形状」としては、（１）図８（ａ）に示すように、操作プーリー６ａとの同心円弧Ｐよりも曲率半径が大きい円弧形状、（２）上記実施形態の上側当て部６ｂ２のような平面形状、（３）上記実施形態の下側当て部６ｃ２のような尾根形状、（４）図８（ｂ）に示すような、操作プーリー６ａの回転軸の方向に向かって凸となる円弧形状などが例示される。
【００２３】
２．第２実施形態
図９を用いて、本発明の第２実施形態について説明する。本実施形態は、第１実施形態に類似しており、当て部６ｂ２の構成が異なっている。以下、相違点を中心に説明する。
【００２４】
本実施形態では、図９に示すように、当て部６ｂ２の曲率半径が操作プーリー６ａとの同心円弧Ｐの曲率半径と同じである。そして、当て部６ｂ２と操作コード７の接触角度αが３０度以下（好ましくは２０度以下、さらに好ましくは１０度以下）になっている。特許文献１に示すような従来技術では、プーリーケースの内周面が、９０度以上の角度範囲に渡って操作プーリーと同心円弧状になっており、その角度範囲の分だけ、操作コードとプーリーケースの内周面が擦れて操作力が大きくなっていた。本実施形態では、接触角度が３０度以下であるので、その分だけ、操作コード７と当て部６ｂ２の間の摩擦が低減される。従って、本実施形態によれば、第１実施形態と同様に、操作プーリー６ａに対する操作コード７の滑りを抑制しつつ、操作力の低減が可能となる。
なお、本実施形態は、当て部６ｂ２の曲率半径が、操作プーリー６ａとの同心円弧Ｐの曲率半径よりも小さい場合にも適用可能である。
【００２５】
３．その他
上記実施形態では、本発明のプーリーユニットを遮蔽装置の操作部ユニットの一部として利用する例を挙げたが、本発明のプーリーユニットは、これ以外には、コードに加えられる引張り力を、コードとプーリーとの間の摩擦力によってプーリーの回転軸に伝達する任意の用途に適用可能である。例えば、ハンガーレール内の２つの定点固定プーリーに掛装されるコードに適用可能である。
【符号の説明】
【００２６】
１：ヘッドボックス
５：昇降コード
６：操作部ユニット
６ａ：操作プーリー
６ｂ：ケースキャップ
６ｃ：ギヤケース
７：操作コード
８：昇降軸
【図１】
2016037837.tif 000003
【図２】
2016037837.tif 000004
【図３】
2016037837.tif 000005
【図４】
2016037837.tif 000006
【図５】
2016037837.tif 000007
【図６】
2016037837.tif 000008
【図７】
2016037837.tif 000009
【図８】
2016037837.tif 000010
【図９】
2016037837.tif 000011